(57)【要約】【課題】上記の不都合を解消しつつ外箱を組み立てる際に内袋のシール部が外箱の開きの障害にならないこと、スパウトがあるときはそれが箱の積み重ねの障害にならないこと、スパウトが箱の強度を損じることなく簡単に取り付けられること等を課題とした。【解決手段】四角立方体に組み立てられる外箱と、その胴部内周面に少なくとも一の相対向両面に接着されるフィルム等からなる柔軟な内袋とからなり、内袋がチューブ状の袋であって、少なくとも下端にチューブを閉じるシール部を有し、シール部が長手方向において外箱の一対角方向にあるよう内袋を外箱の胴部内面に少なくとも上下両端部の一端部で接着するとともに、シール部の有する側の下端部または上下両端部において、前記一対角方向に直交する対角コーナー部で内袋を未接着とした。【選択図】図１
2007145385.tif 000002
【特許請求の範囲】
【請求項１】
四角立方体に組み立てられる外箱と、その胴部内周面に少なくとも一の相対向両面に接着されるフィルム等からなる柔軟な内袋とからなり、内袋がチューブ状の袋であって、少なくとも下端にチューブを閉じるシール部を有し、シール部が長手方向において外箱の一対角方向にあるよう内袋を外箱の胴部内面に少なくとも上下両端部の一端部で接着するとともに、シール部の有する側の下端部または上下両端部において、前記一対角方向に直交する対角コーナー部で内袋を未接着としたことを特徴とする外箱と内袋とからなる折畳み可能な容器。
【請求項２】
四角立法体に組み立てられる外箱と、その中に納まり流体を充填および抽出できるスパウト付きの内袋とからなり、外箱の上端部にスパウトを突出した容器において、スパウトが突出する部分を落込片として形成したことを特徴とする外箱と内袋とからなる折畳み可能な容器。
【請求項３】
四角立法体に組み立てられる外箱と、その中に納まり流体を充填および抽出できるスパウト付きの内袋とからなり、外箱の上端部にスパウトが貫通する取付孔を設けた容器において、スパウトは、外周に取付孔の孔縁を挟む上部環状爪と下部環状鍔とが突設され、そのうちの上部環状爪を下へ逃げ角の断面に形成してあって、上部環状爪が逃げ角で通るよう取付孔の周縁に沿って多数の切れ目を配設したことを特徴とする外箱と内袋とからなる折畳み可能な容器。
【発明の詳細な説明】
【技術分野】
【０００１】
この発明は、段ボール等で組み立てられる四角形状の外箱と、プラスチックフィルム等でチューブ状である内袋とからなる折畳み可能な容器に関する。こゝに、「チューブ状」とは「筒状」の意味である。
【背景技術】
【０００２】
この種の箱は、例えば一斗缶程度のものとして作られ、主に、液体や粉粒体等の流動物を内袋に充填して、運搬保管に都合良く安全に使用され、しかも、折畳み可能であるため、製造業者が納入するときや、ユーザーが反復使用するとき、折り畳んでコンパクトに運搬保管できるものである。
【０００３】
内袋は、一般的にプラスチックフィルムのチューブからなるもので、内容物が液体であるときには、密閉のため上下両端がシールされ、粉粒体であるときは下端のみがシールされる。偏平な平袋が原型であって、ガゼット形状のものも使用される。この内袋が液体用のときは上端部に注入抽出用のスパウトが取り付けられ、それが外箱の上端部から外へ突出される。いずれにしても、外箱の内側に内袋が納まり良く接着されているため、外箱を折畳み状態から組立て状態に開くときに、内袋のシール部がシール方向と直角方向に開拡し難いことから、これが外箱を開く支承とならないよう、従来、次のような対策を講じていた。
【発明の開示】
【発明が解決しようとする課題】
【０００４】
まず、開拡に対応しやすく内袋にＷ形の折り込み部分を設けたガゼット袋が使用される。しかし、これは比較的複雑な構造であるため、コスト高となるばかりか、内容物の抽出時に複雑箇所にその一部が残りやすいという問題があった。したがって、チューブの端を単に二つ合わせ状にシールする、あるいはそれに近い簡単なシール構造の内袋の使用が好ましいといえる。
【０００５】
また、内袋は、幅面が外箱の一面又は二面にわたって接着されるが（実施形態の図４参照）、シール部３が幅中央において（Ｈの位置）、外箱の一の対角線方向となることから、２の平方根として一側面幅の約１．４倍の開拡が強いられる。これを避けるために、外箱の相対向する両側壁に（その上下両フラップにもわたって）幅中央に沿って、折畳みできるよう山折りの中折れ線を設け、内袋をその中折れ線と中折れ線との間に収められる。こうすると、１側面の幅の開拡で納まるから比較的外箱を開きやすくなる。
【０００６】
しかし、この方法によると、外箱に中折れ線が入っているため、外観が見た目に悪く、圧縮強度も落ち高積みに適しない。また、内圧による胴脹れ現象が大きく現れやすく、しかも、外箱が中折れ線の入っている特殊な形状のため、既存の製造組立て機械が使用できない不都合があった。
【０００７】
また、内容物が液体であるときには、内袋の上端部にスパウトを取り付け、それを外箱の上端に突出させていたが、これが箱の積み重ねの障害となっていた。また、スパウトの取り付けについて、外箱のフラップにその突出孔を設けるが、スパウトには、その孔縁を挟む上下鍔を有する関係で、取付けのときに取付孔に嵌めるために、フラップに突出孔から切り込み線（裂け目）を設けていたが、これによると、切り込み線のために、フラップがスパウト部で強度が弱くなり、スパウトの取り付け作業効率も悪かった。
【０００８】
この発明は、上記のような実情に鑑みて、上記の不都合を解消しつつ外箱を組み立てる際に内袋のシール部が外箱の開きの障害にならないこと、スパウトがあるときはそれが箱の積み重ねの障害にならないこと、スパウトが箱の強度を損じることなく簡単に取り付けられること等を課題とした。
【課題を解決するための手段】
【０００９】
上記の課題を解決するために、第１発明は、四角立方体に組み立てられる外箱と、その胴部内周面に少なくとも一の相対向両面に接着されるフィルム等からなる柔軟な内袋とからなり、内袋がチューブ状の袋であって、少なくとも下端にチューブを閉じるシール部を有し、シール部が長手方向において外箱の一対角方向にあるよう内袋を外箱の胴部内面に少なくとも上下両端部の一端部で接着するとともに、シール部の有する側の下端部または上下両端部において、前記一対角方向に直交する対角コーナー部で内袋を未接着としたことを特徴とする外箱と内袋とからなる折畳み可能な容器を提供する。
【００１０】
外箱と内袋とからなる折畳み可能な容器を上記のように構成したから、内袋が外箱の内周面に上下両端部で接着されているので、納まりが良好であるが、シール部を有する箇所においては、外箱を開く際に、シール部にそれと直交する方向に開拡する突っ張り作用が働く。しかし、その開拡方向の対角コーナー部が突っ張りが逃げるよう未接着であるため、突っ張り程度が軽減され、したがって、内袋のシール部が外箱の開きの障害にならなくなる。なお、内袋には通常の平袋のほか、ガゼット形状のものも使用される。
【００１１】
また、第２発明は、四角立法体に組み立てられる外箱と、その中に納まり流体を充填および抽出できるスパウト付きの内袋とからなり、外箱の上端部にスパウトを突出した容器において、スパウトが突出する部分を落込片として形成したことを特徴とする外箱と内袋とからなる折畳み可能な容器を提供する。
【００１２】
上記の構成によれば、落込片の落差分だけスパウトが低く取り付けられるため、箱を積み重ねる障害になるのを防止できる。
【００１３】
また、第３発明は、四角立法体に組み立てられる外箱と、その中に納まり流体を充填および抽出できるスパウト付きの内袋とからなり、外箱の上端部にスパウトが貫通する取付孔を設けた容器において、スパウトは、外周に取付孔の孔縁を挟む上部環状爪と下部環状鍔とが突設され、そのうちの上部環状爪を下へ逃げ角の断面に形成してあって、上部環状爪が逃げ角で通るよう取付孔の周縁に沿って多数の切れ目を配設したことを特徴とする外箱と内袋とからなる折畳み可能な容器を提供する。
【００１４】
上記の構成によれば、スパウトを取付孔に下から押し込むと、その周縁に切れ目が配列されているため、上部環状爪が逃げ角によりその周縁を一旦開きながら取付孔を通過し、孔周縁を上部環状爪と下部環状鍔とで挟む取付け状態が得られる。
【発明の効果】
【００１５】
以上説明したように、第１発明によれば、内袋のシール部が外箱の開きの障害にならなくなるため、内袋の下端を長く出すような不都合な手段を講じることなく、シール部の納まりを良くすることができることはもちろん、特に、高積みに支承がある中折れ線を外箱に設ける必要がなく、量産およびコスト安にも適するという優れた効果がある。
【００１６】
また、第２の発明によれば、スパウトが箱の積み重ねの障害にならなく、第３の発明によれば、スパウトを取り付けやすく、しかも強固な取付け状態が得られるという優れた効果がある。
【発明を実施するための最良の形態】
【００１７】
次に、この発明の実施形態を図面に基づいて説明する。
【００１８】
図１ないし図４は一実施の形態を示したもので、その外箱と内袋とからなる折畳可能な容器Ｖは、外箱１がＡ式の段ボール箱であり、内袋２がプラスチックフィルムのチューブからなり、フィルムの内面が二つ合わせの平袋であって、その下端のみが溶着されて閉じ合わせの端縁シール部３を有し、上端は開放されている。そして、外箱１の内面に接着剤により内袋２が接着され、内袋２を効率的に小面積で保持できるよう胴部では上下両端部にのみ、その接着面５，６が設けられている。
【００１９】
両方の位置関係については、外箱１を折り畳んだ状態（図１の二点鎖線参照）においてその幅方向に内袋２の幅が合うように納まっている。つまり、同図実線において示すように、組立て開き状態では、シール部３が外箱１の一対角線方向となる納まりである。したがって、外箱１が開かれると（図１矢印Ｐａ，Ｐａ）、内袋２にはシール部３と直交する対角線方向（Ｐｂ，Ｐｂ）に開く（突っ張る）力が働くことになる。この突っ張る力を逃すために、外箱１の各内面において、下端部では、その開拡対角線近傍に、接着面６が短く欠除する対角コーナー部７が設けられる。したがって、支承なく外箱１を四角形に開き組み立てることができる。図２がその組み立て梱包した状態を示す。
【００２０】
次に展開図で実施形態をさらに詳細に説明する。図４は、外箱１の展開図において、内袋２の位置および接着面５，６と対角コーナー部７との位置を示したものである。
【００２１】
外箱１は、胴部が左右側壁１１，１１と、前後面壁１３，１３とからなり、左右側壁１１，１１の上下両端に内フラップ１５，１６が連設され、前後面壁１３，１３の上下両端に外フラップ１７，１８が連設される。なお、上端の内フラップ１５，１５は折り込みやすく三角形に形成される。そして、内袋２は、外箱１の全周にわたる大きさであるため、平袋の形態で両面がそれぞれ側壁１１と面壁１３との両方に接着される。また、下端は従来のものよりも短く、下端のシール部３はフラップのほゞ下端位置にあるが、上端はフラップよりも突出する背丈になっている。なお、シール部３は、直線状であるが、Ｖ字形、両端傾斜形等であると、内容物の抽出が良好となる。
【００２２】
接着については、内袋２の上端で起立開口の状態を保持するために、上端の外フラップ１７，１７に副接着面２１，２１が設けられる。また、前記した接着面５が各内側面に全幅において帯状に形成されるのに対して、下端の接着面６は、短く形成され、内袋２の幅中央部に相当する箇所の対角コーナー部７，７が未接着部となっている。したがって、内袋２は、側壁１１，１１と面壁１３，１３との下端から垂れる長さ（従来よりも短い）と、この対角コーナー部７，７，７，７とにより、フラップ１６，１６上に底部がほゞ平たく納まりよく形成される。
【００２３】
上記の実施形態の場合、外箱１の４内側面に内袋２を接着したが、相対面する２内側面（左右側壁１１，１１、または前後面壁１３，１３）であっても良い。このようにすることにより、内容物が抽出される際に生じる脈打ち現象が、内袋が縮むことにより防止できると共に、内容物の酸化をも防止できる。また、上部フィルムの食出し部を折り返した状態にしても良い。この場合、内容物を段ボールに触れさせることなく、抽入することができる。以下の実施形態においても同じことが言える。
【００２４】
次に、図５ないし図９は他の実施形態を示したもので、この場合は、液体の運搬保管に適するように、内袋２の上下両端に端縁シール部３，３を設けるとともに、上端部に注入抽出口としてのスパウト２３を取り付け、外箱１の上端にそれを突出させた場合であって、スパウト２３にキャップ２５を被着した状態において、箱の積み重ねの障害にならないように、スパウト２３の突出箇所を落込片２７として形成される。
【００２５】
この実施形態の場合、内袋２には上下両端に端縁シール部３，３を有するので、胴部の上端には、下端ばかりでなく、上端でも各左右側壁１１，１１、および前後面壁１３，１３にそれぞれ接着面５，６を設けるほか、上端でも未接着の対角コーナー部７，７，７，７が設けられる。図６に示した実施例展開図は、内袋２の上下両端部の接着面５，６が、左右側壁１１、１１および前後面壁１３，１３の四面全てに設けられている例であるが、内袋２の接着面は、例えば前後面壁１３，１３に設けて、左右側壁１１，１１には設けない場合も有り得るし、高さの低い箱などの場合には、上下両端部のうちの一方（一端部）にだけ接着面を設けても、本発明を実施し得るものである。
【００２６】
落込片２７は、一の側壁１１の上端の内フラップ１５を分割し、その半片近い片側として設けられ、その方法として、その内フラップ１５に縦切り線２９を設けるとともに、その縦切り線２９を段落の寸法において側壁１１の上端部に至らせ、縦切り線２９の下端位置において落込片２７の折れ線３１が形成される。そして、この内フラップ１５にスパウト２３が貫通し突設される。
【００２７】
落込片２７に隣接する外フラップ１７には、落込片２７が露出する切欠窓３３が形成され、その下の面壁１３には、落込片２７を下降しないよう受ける支持片３５が折り込み可能に形成される。なお、他方の内フラップ１５には、落込片２７の残りの内フラップ１５ａの先端に差し合う切欠部１５ｂが設けられ、こうして形状の安定性に工夫が施される。図９は、スパウト２３が貫通して取り付けられる取付孔３７を示したもので、孔縁に放射状に切れ目３９，３９，・・が形成される。
【００２８】
落込片２７の他の形態としては、図１０において、内フラップ１５の幅中央にその落込片２７を形成し、その上の外フラップ１７に切欠窓３３を設けた。また他の実施例としては、切欠窓３３がミシン目を入れた塞がれた状態の場合もあり、ミシン目を切り離して使用することで、いたずらによる異物混入を防止できる。さらに、図１１に示すように、上端の一角部に角が取れたような斜めに落込片２７を形成し、そこにスパウト２３を突出したので、残らず液体を抽出するのに特に有効である。
【００２９】
図１２は、取付孔３７にスパウト２３を取り付ける要領を示したもので、スパウト２３には、取付孔３７の周囲を挟む上部環状爪４１と下部環状鍔４３とが突設され、下部環状鍔４３の上面に内袋２のフィルムが接着されている。また、上部環状爪４１は、上面が円弧の逃げ形状であるので、下から取付孔３７に押し込むと、切れ目３９，３９，・・で取付孔３７が一旦開拡することにより、上部環状爪４１が取付孔３７の上に出て、その孔縁に下降不能に掛止される。
【００３０】
（補足説明）
外箱１については、普通の段ボール（片面、両面、複両面、三層ダンボール等）の他、ボード（紙、プラスチック、発泡プラスチック、木）、プラスチック段ボール、板紙等が使用される。
【００３１】
内袋２については、プラスチックフィルム、ラミネートフィルム（アルミ、クラフト紙等）、チューブ形状、チューブ形状を２枚重ねたフィルム、共押し出しフィルム、二重フィルム、フィルム４枚を四方シールした二重フィルム、紙＋ＰＥ、紙＋デンプンＰＥ、再生フィルム、フラットヤーン等が使用される。
【００３２】
内袋２がガゼット形状の場合、外箱の隣接する面にガゼット形状の一方を折り返して接着しても良い。また、ガゼット形状の端面の一部シールとして、高さ方向の端面に線上、半円状のシール部を設けても良い。
【００３３】
外箱１に対する内袋２の接着については、線接着、点接着、線と点複合等の他、コーナー部を除く全面接着等がなされる。
【産業上の利用可能性】
【００３４】
一斗缶の代替・特に接着剤や塗料やインキの収納容器に有効に使用され、また、内容物の錆等の酸化防止、湿気防止、鮮度保持に適切である。
【図面の簡単な説明】
【００３５】
【図１】この発明の一実施形態による外箱と内袋とからなる折畳み可能な容器を半組立ての開き状態で示す斜視図である。
【図２】同容器を組立ての梱包状態で示す斜視図である。
【図３】図２のＸ−Ｘ線矢視の概略断面図である。
【図４】内袋の位置関係を示す同容器の展開図である。
【図５】他の実施形態による容器を梱包状態で示す斜視図である。
【図６】内袋の位置関係を示す同容器の展開図である。
【図７】図５のＹ−Ｙ線矢視の拡大断面図である。
【図８】図５のＺ−Ｚ線矢視の拡大断面図である。
【図９】スパウトの取付孔を示す平面図である。
【図１０】他の実施形態を梱包状態で示す容器の上端部斜視図である。
【図１１】さらに他の実施形態を梱包状態で示す容器の上端部斜視図である。
【図１２】スパウトの取付け要領を示す同箇所の一部断面図である。
【符号の説明】
【００３６】
Ｖ  外箱と内袋とからなる折畳み可能な容器
１  外箱
２  内袋
３  シール部
５，６  接着面
７  対角コーナー部
２３  スパウト
２７  落込片
３７  取付孔
３９  切れ目
４１  上部環状爪
４３  下部環状鍔
【図１】
2007145385.tif 000003
【図２】
2007145385.tif 000004
【図３】
2007145385.tif 000005
【図４】
2007145385.tif 000006
【図５】
2007145385.tif 000007
【図６】
2007145385.tif 000008
【図７】
2007145385.tif 000009
【図８】
2007145385.tif 000010
【図９】
2007145385.tif 000011
【図１０】
2007145385.tif 000012
【図１１】
2007145385.tif 000013
【図１２】
2007145385.tif 000014